(57)【要約】【課題】燃料供給管理装置のシステム時刻の修正に伴う燃料供給順序と供給時刻の順番の逆転を防止する。【解決手段】１又は複数のノズルから燃料を供給する際の燃料供給情報を管理する燃料供給管理装置において、予め設定又は変更されたシステム時刻を管理する時刻管理部と、前記ノズルから燃料が供給された際に、供給された燃料に関する情報と共に蓄積される時刻情報を前記時刻管理部からのシステム時刻に基づいて生成する時刻生成部と、前記燃料に関する情報及び前記時刻情報を含む管理情報を記憶する記憶部とを有し、前記時刻生成部は、前記システム時刻の修正後に前記管理情報を記憶する際、修正後の時刻情報が、前記記憶部にすでに記憶されている時刻情報のうちの最新時刻よりも前の時刻である場合、前記記憶部に記憶する時刻情報を前記最新時刻よりも後の時刻に変更することにより、上記課題を解決する。【選択図】図３
2008310665.tif 000002
【特許請求の範囲】
【請求項１】
１又は複数のノズルから燃料を供給する際の燃料供給情報を管理する燃料供給管理装置において、
予め設定又は変更されたシステム時刻を管理する時刻管理部と、
前記ノズルから燃料が供給された際に、供給された燃料に関する情報と共に蓄積される時刻情報を前記時刻管理部からのシステム時刻に基づいて生成する時刻生成部と、
前記燃料に関する情報及び前記時刻情報を含む管理情報を記憶する記憶部とを有し、
前記時刻生成部は、前記システム時刻の修正後に前記管理情報を記憶する際、修正後の時刻情報が、前記記憶部にすでに記憶されている時刻情報のうちの最新時刻よりも前の時刻である場合、前記記憶部に記憶する時刻情報を前記最新時刻よりも後の時刻に変更することを特徴とする燃料供給管理装置。
【請求項２】
前記時刻生成部は、
前記時刻管理部にて生成される前記記憶部に記憶される時刻情報の最小単位が、前記システム時刻の最小単位よりも大きくなる際に、記憶される時刻情報の最小単位未満の間に複数の管理情報を記憶する場合、前記システム時刻の最小単位を基準にした順序に合わせて、前記記憶部に記憶される時刻情報の最小単位の時刻をずらすことを特徴とする請求項１に記載の燃料供給管理装置。
【請求項３】
前記時刻生成部は、
前記システム時刻の修正後に、前記記憶部にすでに記憶されている各時刻情報のうち、修正後の時刻情報よりも後の時刻である場合、各時刻情報を記憶された順序に基づいて前記修正後の時刻情報よりも前の時刻に変更することを特徴とする請求項１又は２に記載の燃料供給管理装置。
【請求項４】
１又は複数のノズルから燃料を供給する際の燃料供給情報を管理する燃料供給管理装置において、
予め設定又は変更されたシステム時刻を管理する時刻管理部と、
前記ノズルから燃料が供給された際に、供給された燃料に関する情報と共に蓄積される時刻情報を前記時刻管理部からのシステム時刻に基づいて生成する時刻生成部と、
前記燃料に関する情報及び前記時刻情報を含む管理情報を印刷媒体に印刷する出力部とを有し、
前記時刻生成部は、前記システム時刻の修正後に前記管理情報を印刷する際、修正後の時刻情報が前記出力部から最後に印刷された時刻情報よりも前の時刻である場合、前記修正後の時刻情報を前記最後に印刷した時刻情報よりも後の時刻に変更して印刷することを特徴とする燃料供給管理装置。
【請求項５】
前記時刻生成部は、
前記時刻管理部にて生成される前記出力部にて印刷される時刻情報の最小単位が、前記システム時刻の最小単位よりも大きくなる際に、印刷される時刻情報の最小単位未満の間に複数の管理情報を印刷する場合、前記システム時刻の最小単位を基準にした順序に合わせて、前記出力部から印刷される時刻情報の最小単位の時刻をずらすことを特徴とする請求項４に記載の燃料供給管理装置。
【請求項６】
前記請求項１乃至５の何れか１項に記載の燃料供給管理装置と、
前記燃料供給管理装置により設定された燃料供給情報に基づいて選択されたノズルによる燃料供給を可能にし、供給後の給油データを前記燃料供給管理装置に送信する燃料供給装置とを有することを特徴とする燃料供給システム。
【発明の詳細な説明】
【技術分野】
【０００１】
本発明は燃料供給管理装置及び燃料供給システムに係り、特に燃料供給管理装置のシステム時刻の修正に伴う燃料供給順序と供給時刻の順番の逆転を防止するための燃料供給管理装置及び燃料供給システムに関する。
【背景技術】
【０００２】
例えば、多数のトラックやバス、タクシー等の車両を所有する会社では、自社の敷地内に給油装置（燃料供給装置）を設置し、運転者(操作者)が車両の燃料タンクに給油操作を行うようにしている。この種の自家用の燃料供給システムでは、燃料供給管理装置により給油すべき給油ノズル(油種)及び給油量等の燃料供給情報（給油情報）を設定することにより、選択された給油ノズルによる給油が可能になる。なお、給油所のように給油量に応じた給油金額の支払いが行われないので、燃料供給管理装置において、給油金額や支払い方法を設定する必要はない。
【０００３】
運転者は、燃料供給管理装置に設けられた表示装置の表示画面を確認しながら給油すべき車両のエンジンに応じた油種を供給することができる未使用の給油ノズル（ノズル番号）を選択し、選択した給油ノズル（ノズル番号）に対する給油量（満タン給油またはプリセット給油）の設定操作を行う。一方、燃料供給管理装置においては、設定操作が完了された使用中の給油ノズルだけでなく設定操作が行われていない未使用の給油ノズルの状態も表示しなければならないので、表示画面には多数の給油ノズルの全ての情報を表示することが要求されている。
【０００４】
また、燃料供給管理装置は、給油装置と別体に設けられており、１台の燃料供給管理装置により複数の給油装置への設定操作が行えるようになっている（特許文献１を参照）。例えば、１台の給油装置に２〜４本の給油ノズルが接続され、給油装置が２台設置されている場合は、１台の燃料供給管理装置で４〜８本の給油ノズルに対する設定が行える。
【０００５】
また、燃料供給管理装置により設定操作が完了した給油ノズルは、全て給油操作が可能なため、同じ給油装置に設けられた別の給油ノズルでも設定操作が完了していれば同時に給油を行うことが可能である。
【０００６】
更に、上述した一連の給油手順により給油が終了した場合には、給油量や油種、複数の給油ノズルが存在するときにどのノズルで給油されたかを示す給油種別等の給油データが、給油した時間情報等と共に管理情報（給油情報）として記憶部等に記憶される。このとき、給油時間は、燃料供給管理装置内に設けられたシステム時計（内部時計）等により取得される。
【特許文献１】特開平４−２０１８９８号公報
【発明の開示】
【発明が解決しようとする課題】
【０００７】
ところで、上述したシステム時計は、日時等の初期設定を行った後、所定のクロックで時間が経過していくが、経過に伴う誤差が生じる場合がある。そのため、システム時刻は、誤差が生じた時点で管理者等により修正される。
【０００８】
このとき、システム時刻が修正前の時刻よりも前の時刻に修正されると、その後に管理情報を記憶する際、燃料供給順序（給油順序）と供給時刻（給油時間）の順番とが逆転してしまう可能性がある。そのため、例えば、管理者等による伝票との照合作業や給油順序におけるチェック時にミスが生じる可能性がある。
【０００９】
本発明は、上述した問題点に鑑みなされたものであり、燃料供給管理装置のシステム時刻の修正に伴う燃料供給順序と供給時刻の順番の逆転を防止するための燃料供給管理装置及び燃料供給システムを提供することを目的とする。
【課題を解決するための手段】
【００１０】
上記課題を解決するために、本件発明は、以下の特徴を有する課題を解決するための手段を採用している。
【００１１】
請求項１に記載された発明は、１又は複数のノズルから燃料を供給する際の燃料供給情報を管理する燃料供給管理装置において、予め設定又は変更されたシステム時刻を管理する時刻管理部と、前記ノズルから燃料が供給された際に、供給された燃料に関する情報と共に蓄積される時刻情報を前記時刻管理部からのシステム時刻に基づいて生成する時刻生成部と、前記燃料に関する情報及び前記時刻情報を含む管理情報を記憶する記憶部とを有し、前記時刻生成部は、前記システム時刻の修正後に前記管理情報を記憶する際、修正後の時刻情報が、前記記憶部にすでに記憶されている時刻情報のうちの最新時刻よりも前の時刻である場合、前記記憶部に記憶する時刻情報を前記最新時刻よりも後の時刻に変更することを特徴とする。
【００１２】
請求項１記載の発明によれば、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【００１３】
請求項２に記載された発明は、前記時刻生成部は、前記時刻管理部にて生成される前記記憶部に記憶される時刻情報の最小単位が、前記システム時刻の最小単位よりも大きくなる際に、記憶される時刻情報の最小単位未満の間に複数の管理情報を記憶する場合、前記システム時刻の最小単位を基準にした順序に合わせて、前記記憶部に記憶される時刻情報の最小単位の時刻をずらすことを特徴とする。
【００１４】
請求項２記載の発明によれば、実際に給油された順序を明確にして記憶、管理することができる。
【００１５】
請求項３に記載された発明は、前記時刻生成部は、前記システム時刻の修正後に、前記記憶部にすでに記憶されている各時刻情報のうち、修正後の時刻情報よりも後の時刻である場合、各時刻情報を記憶された順序に基づいて前記修正後の時刻情報よりも前の時刻に修正することを特徴とする。
【００１６】
請求項３記載の発明によれば、燃料供給管理装置のシステム時刻の修正に伴う燃料供給順序と供給時刻の順番の逆転を防止することができる。
【００１７】
請求項４に記載された発明は、１又は複数のノズルから燃料を供給する際の燃料供給情報を管理する燃料供給管理装置において、予め設定又は変更されたシステム時刻を管理する時刻管理部と、前記ノズルから燃料が供給された際に、供給された燃料に関する情報と共に蓄積される時刻情報を前記時刻管理部からのシステム時刻に基づいて生成する時刻生成部と、前記燃料に関する情報及び前記時刻情報を含む管理情報を印刷媒体に印刷する出力部とを有し、前記時刻生成部は、前記システム時刻の修正後に前記管理情報を印刷する際、修正後の時刻情報が前記出力部から最後に印刷された時刻情報よりも前の時刻である場合、前記修正後の時刻情報を前記最後に印刷した時刻情報よりも後の時刻に変更して印刷することを特徴とする。
【００１８】
請求項４記載の発明によれば、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【００１９】
請求項５に記載された発明は、前記時刻生成部は、前記時刻管理部にて生成される前記出力部にて印刷される時刻情報の最小単位が、前記システム時刻の最小単位よりも大きくなる際に、印刷される時刻情報の最小単位未満の間に複数の管理情報を印刷する場合、前記システム時刻の最小単位を基準にした順序に合わせて、前記出力部から印刷される時刻情報の最小単位の時刻をずらすことを特徴とする。
【００２０】
請求項５記載の発明によれば、実際に給油された順序を明確にして印刷することができる。
【００２１】
請求項６に記載された発明は、前記請求項１乃至５の何れか１項に記載の燃料供給管理装置と、前記燃料供給管理装置により設定された燃料供給情報に基づいて選択されたノズルによる燃料供給を可能にし、供給後の給油データを前記燃料供給管理装置に送信する燃料供給装置とを有することを特徴とする。
【００２２】
請求項６記載の発明によれば、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【発明の効果】
【００２３】
本発明によれば、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【発明を実施するための最良の形態】
【００２４】
以下、図面を参照して本発明を実施するための最良の形態について説明する。
【実施例１】
【００２５】
図１は、本発明による燃料供給管理装置の一実施例が用いられた燃料供給システムを示す斜視図である。図１に示すように、燃料供給システム１０は、例えば、多数のトラック２０を所有する運送会社の敷地に設置されている。この燃料給油システム１０は、地下等に埋設された地下タンク３０と、地下タンク３０からの給油配管４０が接続された給油装置（燃料供給装置）５０と、給油装置５０の近傍に設置された燃料供給管理装置（設定装置）６０とから構成されている。
【００２６】
給油装置５０は、給油ホース５４を介して１又は複数の給油ノズル５２が接続されており、例えば、軽油用やレギュラーガソリン用等の給油ノズルが設けられている。また、給油装置５０は、燃料供給管理装置６０の制御装置と接続されており、燃料供給管理装置６０においてトラック２０に給油するための設定操作が完了すると、設定された条件（選択された油種の給油ノズル、給油量）に基づいて給油が許可される。
【００２７】
したがって、トラック２０の運転者は、給油すべき油種、給油量を各給油ノズル５２に対応させて燃料供給管理装置６０による設定操作を行ってから給油ノズル５２を用いた給油操作を行う。なお、図１においては、１台の給油装置５０のみが示されているが、燃料供給管理装置６０により複数の給油装置５０に対する設定操作を行うことも可能である。また、給油装置５０では、異なる油種を供給する複数の給油ノズル５２を有する構成としてもよく、あるいは同じ油種を供給する複数の給油ノズル５２を有する構成としてもよい。
【００２８】
次に、燃料供給管理装置６０について具体的に説明する。図２は、燃料供給管理装置を拡大して示す正面図である。図２に示されるように、燃料供給管理装置６０は、筐体７０の内部に制御装置(図２中、破線で示す)８０が収納されており、筐体７０の前面７１にはタッチパネル方式の液晶モニタ（表示装置）９０と、カードリーダ１００と、レシート発行機１１０と、スピーカ（音声出力装置）１２０とが設けられている。
液晶モニタ９０は、タッチパネル方式の画面を有するため、運転手等の操作者（ユーザ）に対して操作手順をガイダンスしながら給油するための設定内容やシステム時刻等の設定（修正）内容を表示し、更に給油した結果や履歴情報を表示する表示装置と、操作者が表示画面に触れることにより給油やシステム時刻に関する設定情報を入力する入力装置とを兼ねている。
【００２９】
カードリーダ１００は、各運転者あるいは各車両毎に発行された磁気カードが挿入されるスリット１０１を有し、磁気カードがスリット１０１に通されると磁気カードに記録されたユーザ情報（運転者名、車両番号等）等の識別データを読み取る磁気ヘッドを有する。
【００３０】
レシート発行機１１０は、給油が終了すると、給油された日時、油種、給油量、カード番号等を印字したレシート（伝票）を発行する。
【００３１】
スピーカ１２０は、運転者が給油するための設定内容やシステム時刻を設定（修正）するための設定内容等を入力させるためのガイダンス情報、給油終了を示す情報（メッセージ、警報（ブザー）等）、給油結果等を音声出力する。これにより、運転者等が給油作業をスムーズに行うことができる。
【００３２】
＜燃料供給管理装置６０：機能構成例＞
ここで、燃料供給管理装置６０の機能構成例について図を用いて説明する。図３は、燃料供給管理装置の機能構成の一例を示す図である。図３に示す燃料供給管理装置６０は、入力部６１と、出力部６２と、記憶部６３と、時刻管理部６４と、時刻生成部６５と、通信インタフェース部６６と、制御部６７とを有するよう構成されている。
【００３３】
入力部６１は、操作者（ユーザ）等からの液晶モニタ９０によるタッチパネル方式での時刻の設定や修正するためのデータの入力、カードリーダ１００を用いたカード情報の読み出し等、各指示等の入力を受け付ける。なお、入力部６１は、タッチパネル方式に限定されず、例えば、専用の操作ボタン等を筐体７０の前面７１に設けてもよく、あるいはマイク等を設けて音声により入力を行ってもよい。
【００３４】
また、出力部６２は、入力部６１により入力された指示内容や、指示内容に基づいて修正された時刻情報、給油情報等の各種データを液晶モニタ９０やスピーカ１２０等にて表示及び／又は音声にて出力する。また、出力部６２は、用紙等の印刷媒体に所定の情報を印刷出力する印刷部としての機能を有し、例えば、レシート発行機１１０により給油情報等をレシートや伝票として出力することができる。ここで、出力部６２は、液晶モニタ９０やスピーカ１２０、レシート発行機１１０等からなる。なお、上述した液晶モニタ９０は、入力部６１及び出力部６２の両機能を有する。
【００３５】
記憶部６３は、給油毎に生成される給油時刻情報を含む給油情報を記憶するハードディスク等のストレージ手段であり、その他にも、本発明における実行プログラム等を蓄積し、必要に応じて各種データの入出力を行うことができる。
【００３６】
時刻管理部６４は、燃料供給管理装置６０内部で動作するシステム時刻を管理する。なお、システム時刻は、例えば、「年」、「月」、「日」、「時」、「分」、「秒」からなる。また、時刻管理部６４は、所定の条件に基づいてシステム時刻の設定や修正（変更）を行う。具体的には、数週間や数ヶ月、半年、一年等の所定の単位、もしくは、実際の時刻とシステム時刻との間に明らかな誤差が生じていると管理者等が判断したタイミング等で任意に修正することができる。なお、時刻修正の詳細な説明については後述する。
【００３７】
また、時刻管理部６４は、システム時刻の設定や変更が行われると、その後のシステム時刻を所定のクロックにて経過させる。
【００３８】
時刻生成部６５は、１又は複数のノズルから燃料を供給された際に、管理情報（給油情報）として記憶部６３に記憶される、及び／又は、出力部６２により出力（印刷）される供給された燃料に関する情報（給油データの情報）と共に蓄積される時刻情報（給油時刻、供給時刻）を時刻管理部６４からのシステム時刻に基づいて生成する。
【００３９】
なお、時刻生成部６５は、時刻情報をシステム時刻に含まれる「年」、「月」、「日」、「時」、「分」、「秒」のうち、任意に選択して時刻を生成する。したがって、時刻生成部６５は、生成する時刻の最小単位を「秒」や「分」、「時」等にすることができ、記憶部６３に記憶されるデータフォーマット等に応じて生成することができる。なお、時刻情報のデータフォーマットについては、予め設定されているものとする。
【００４０】
また、時刻生成部６５は、システム時刻の修正があった後に管理情報を記憶する際、修正後の時刻情報が、記憶部６３にすでに記憶されている時刻情報のうちの最新時刻よりも後の時刻である場合には、システム時刻をそのまま用いて時刻情報を生成して記憶部６３に記憶する。また、時刻生成部６５は、修正後の時刻情報が、記憶部６３に記憶されている時刻情報のうちの最新時刻よりも前の時刻である場合には、修正後の時刻情報を記憶部６３に記憶されている時刻情報のうちの最新時刻よりも後の時刻に変更して時刻情報を生成して記憶部６３に記憶する。
【００４１】
また、時刻生成部６５は、システム時刻の修正があった後に管理情報を印刷する際、修正後の時刻情報が出力部６２から最後に印刷された時刻情報よりも前の時刻である場合、修正後の時刻情報を最後に印刷した時刻情報よりも後の時刻に変更して印刷する。
【００４２】
これにより、燃料供給管理装置６０におけるシステム時刻の修正に伴う燃料供給順序と供給時刻の順番の逆転を防止することができる。したがって、管理者等による伝票との照合作業や給油順序におけるチェックをミスなく容易に行うことができる。
【００４３】
また、時刻生成部６５は、記憶部６３に記憶される時刻情報の最小単位が、時刻管理部６４にて管理されるシステム時刻の最小単位（例えば、「秒」）よりも大きくなる際に、記憶される時刻情報の最小単位未満の間に複数の管理情報を記憶する場合、具体的には、記憶部６３に記憶される時刻情報の最小単位が「分」のときに、１分の間に複数のノズルの給油が終了し、その管理情報を記憶するような場合、システム時刻の最小単位を基準にした順序（例えば、「秒」単位の順序）に合わせて、記憶部６３に記憶される時刻情報の最小単位（例えば「分」）の時刻をずらす。これにより、実際に給油された順序を明確にして記憶、管理することができる。
【００４４】
なお、時刻生成部６５は、時刻情報を記憶部６３に記憶する場合に限らず、例えば、用紙等の印刷媒体に印刷する場合にもシステム時刻の最小単位を基準にした順序に合わせて、出力部６２から印刷される時刻情報の最小単位の時刻をずらしてもよい。これにより、実際に給油された順序を明確にして印刷することができる。
【００４５】
更に、時刻生成部６５は、システム時刻の修正後に、記憶部６３にすでに記憶されている各時刻情報のうち、修正後の時刻情報よりも後の時刻である場合、各時刻情報を記憶された順序に基づいて修正後の時刻情報よりも前の時刻に変更することを特徴とする。これにより、燃料供給管理装置のシステム時刻の修正に伴う燃料供給順序と供給時刻の順番の逆転を防止することができる。
【００４６】
また、通信インタフェース部６６は、例えば、パソコン等の外部端末等とのデータの送受信を行うものである。したがって、通信インタフェース部６６は、例えば、記憶部６３に記憶された給油情報等を外部端末に出力したり、外部端末から時刻情報や各種設定情報、実行プログラム等を取得することができる。なお、通信インタフェース部６６は、ＵＳＢ（Ｕｎｉｖｅｒｓａｌ  Ｓｅｒｉａｌ  Ｂｕｓ）や赤外線、非接触型のリーダライタ等により、外部端末との通信を行う。
【００４７】
また、通信インタフェース部６６は、例えば、無線通信等により複数の燃料供給管理装置に記憶される各データを一元管理する管理装置等に伝送してもよい。これにより、例えば、ＰＯＳ（Ｐｏｉｎｔ  Ｏｆ  Ｓａｌｅｓ）システムのような一箇所にデータを集めて在庫等を集中管理する場合等にも適用することができる。
【００４８】
制御部６７は、燃料供給管理装置６０における各機能構成全体の制御を行う。具体的には、制御部６７は、入力部６１により入力されたユーザからの入力情報等に基づいて、システム時刻の設定や修正を行ったり、管理情報を出力部６２や記憶部６３により出力や記憶させたり、時刻生成部６５により記憶用あるいは出力用の時刻情報を生成させたり、管理情報を外部端末等に出力させる等の制御を行う。また、制御部６７は、供給装置５０から燃料供給後の給油データを入力し、その入力に基づいて、時刻生成部６５により記憶用あるいは出力用の時刻情報を生成させる。なお、給油データとしては、例えば、ユーザ情報、選択した油種情報、給油量（Ｌ：リットル）、カード番号等がある。
【００４９】
＜時刻設定画面例＞
次に、本実施形態における時刻設定画面例について図を用いて説明する。図４は、本実施形態における時刻設定画面の一例を示す図である。なお、図４に示す画面例は、例えば、上述した液晶モニタ９０等に表示されるものであり、時刻の設定や修正時に用いられる。
【００５０】
図４に示す液晶モニタ９０には、時刻設定画面として日時表示領域９１と、位置変更領域９２と、テンキー９３と、決定ボタン９４と、取消ボタン９５とを有するよう構成されている。なお、時刻設定は、例えば、操作者（ユーザ）等からの液晶モニタ９０によるタッチパネル操作により行われ、数週間や数ヶ月、半年、一年等の所定の単位、もしくは、実際の時刻とシステム時刻との間に明らかな誤差が生じていると判断したタイミング等で任意に設定（修正）することができる。
【００５１】
ここで、時刻を設定する場合には、日時表示領域９１において、位置変更領域９２により、「年」、「月」、「日」、「時」、「分」のうち、何れかの位置を変更可能となるように位置付け、その後、テンキー９３により０〜９の数値を入力して、決定ボタン９４を選択することにより時刻が変更される。なお、設定を取り消す場合には、取消ボタン９５により取り消すことができる。なお、図４にて示される時刻設定画面は一例であり、レイアウトやフォント、表示される項目等については、特に図４に制限されるものではない。
【００５２】
＜管理情報として記憶される時刻情報の生成例＞
次に、管理情報として記憶される時刻情報の生成例について説明する。なお、以下の説明では、管理情報の一例として給油情報を用い、給油情報として給油データと共に記憶される時刻情報の生成例について説明する。
【００５３】
また、以下に示す説明において、記憶部に記憶されるデータ例では、そのデータの表示内容や桁数については、特に制限されない。
【００５４】
＜実施例１＞
図５は、実施例１における給油情報の一例を示す図である。なお、本発明の内容をより明確にするため、図５（ａ）には、従来の手法で修正された場合の例を示し、図５（ｂ）には、本発明の手法で修正された場合の例を示している。
【００５５】
図５に示すように、給油情報として記憶部６３に記憶される情報としては、例えば給油した順番を示す「番号」、給油が終了した時刻（例えば、制御部６７が給油装置（燃料供給装置）５０から給油データを取得した時刻（供給時刻、給油終了時刻）等）を示す「時刻」、「給油量（Ｌ：リットル）」、「カード番号」、カード番号に対応して予め設定されたユーザを識別するための氏名や会社名等からなる「ユーザ情報」、ハイオク、レギュラー、軽油、灯油、重油、オイル、ハイオク軽油等の「油種」等からなる。なお、１つのノズルからは１種類の「油種」しか出力されないため、「油種」をノズル種別に対応させてもよい。
【００５６】
ここで、図５では、番号「０００３」と「０００４」の間でシステム時刻の時刻修正を行っている。このとき、番号「０００４」として給油情報を記憶する際に、時刻修正されたシステム時刻が記憶部に記憶された時刻情報のうち最新時刻である番号「０００３」の時刻よりも後の時刻である場合には、そのままのシステム時刻に基づいて、給油情報として記憶するための時刻を生成する。
【００５７】
しかしながら、時刻修正されたシステム時刻が、記憶部に記憶された時刻情報のうち最新時刻である番号「０００３」の時刻よりも前の時刻である場合には、修正時刻をそのまま用いると、図５（ａ）の従来手法に示すように、番号「０００４」と「０００５」の履歴が番号「０００３」より前の時刻となり、燃料供給順序と供給時刻の順番が逆転してしまう。
【００５８】
そこで、実施例１では、図５（ｂ）に示すように、番号「０００４」及び「０００５」の時刻修正において、システム時刻が番号「０００３」の時刻よりも前になる場合には、番号「０００３」の時刻「２００７／０１／０１  １２：０４：０８」を基準とし、この時間よりも後の時刻に変更して記憶部６３に記憶、又は印刷媒体を出力する出力部６２等により印刷出力を行う。なお、時刻を変更する場合は、システム時刻により近い時刻となるように設定することが好ましい。これにより、誤差の最小限にすることができる。
【００５９】
ここで、上述の内容を具体的に説明すると、給油情報を記憶する際の修正されたシステム時刻「２００７／０１／０１  １１：５０：２２」と、現在までに記憶部に記憶されている番号「０００１」〜「０００３」までの給油履歴のうち最新のもの、つまり、番号「０００３」の時刻「２００７／０１／０１  １２：０４：０８」とを比較し、システム時刻の方が番号「０００３」の時刻よりも前であるため、番号「０００３」の時刻に基づいて、「２００７／０１／０１  １１：５０：２２」を「２００７／０１／０１  １２：０４：０９」に変更して、番号「０００４」の給油情報として記憶する。
【００６０】
また、次に給油情報を記憶する際の修正されたシステム時刻が「２００７／０１／０１  １２：０２：１０」の場合には、番号「０００１」〜「０００４」までの給油履歴のうち最新のもの、つまり、番号「０００４」の時刻「２００７／０１／０１  １２：０４：０９」と比較し、上述したように「２００７／０１／０１  １２：０４：１０」に変更して番号「０００５」の給油情報として記憶する。これにより、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【００６１】
なお、上述した処理を行うことにより、例えば、所定時間単位や所定日単位、所定週間単位等、ある一定期間分のデータの履歴を印刷出力する場合にも履歴情報の抜け等を防止することができる。ここで、上述の内容について図を用いて説明する。
【００６２】
図６は、時刻範囲を指定して抽出された給油履歴の一例を示す図である。なお、図６では、２００７年１月１日の１２時〜１月２日の１２時までの履歴を抽出する例を示すものであり、図６（ａ）は、従来の手法による抽出結果を示し、図６（ｂ）は、本発明の手法による抽出結果を示している。図６に示すように、１月１日の１２時〜１月２日の１２時まで時間を区切って履歴を抽出すると、図６（ａ）に示す従来手法においては、抽出時に番号「０００４」の履歴が抜けてしまうが、図６（ｂ）に示す本発明の手法においては、時刻変更により番号「０００４」等の番号に抜けがなく履歴を抽出することができる。
【００６３】
＜実施例２＞
実施例２では、記憶部６３に記憶される時刻情報の最小単位が、システム時刻の最小単位（例えば、「秒」）よりも大きくなる際（例えば、「分」）、記憶される時刻情報の最小単位未満の間に複数の給油情報を記憶する場合、具体的には、記憶部６３に記憶される時刻情報の最小単位が「分」のときに、１分の間に複数のノズルの給油が終了し、その給油情報を記憶するような場合に、システム時刻の最小単位を基準にした順序（例えば、「秒」単位の順序）に合わせて、記憶部６３に記憶される時刻情報の最小単位（例えば「分」）の時刻をずらす。
【００６４】
具体的に説明すると、例えば、記憶部６３に記憶される給油情報の時刻の最小単位が「分」の場合で、１分の間に３件の給油情報を記憶する場合、例えば、システム時刻がそれぞれ「２００７／０１／０１  １２：２３：０９」、「２００７／０１／０１  １２：２３：１５」、「２００７／０１／０１  １２：２３：２５」であったとする。このとき、記憶部６３に記憶される時刻情報の最小単位は、「分」であるため、３件とも「２００７／０１／０１  １２：２３」となってしまう。
【００６５】
そこで、実施例２では、記憶される時刻情報の最小単位をずらす。つまり、上述の例では、システム時刻が「２００７／０１／０１  １２：２３：０９」の場合は、時刻情報は「２００７／０１／０１  １２：２３」とし、「２００７／０１／０１  １２：２３：１５」の場合は、「２００７／０１／０１  １２：２４」とし、「２００７／０１／０１  １２：２３：２５」の場合は、「２００７／０１／０１  １２：２５」とする。これにより、実際に給油された順序を明確にして記憶、管理することができる。
【００６６】
なお、時刻生成部６５は、時刻情報を記憶部６３に記憶する場合に限らず、例えば、用紙等の印刷媒体に印刷する場合にもシステム時刻の最小単位を基準にした順序に合わせて、出力部６２から印刷される時刻情報の最小単位の時刻をずらしてもよい。これにより、実際に給油された順序を明確にして印刷することができる。
【００６７】
＜実施例３＞
実施例３では、時刻生成部６５は、システム時刻の修正後に、記憶部６３にすでに記憶されている給油履歴の各時刻情報のうち、修正後の時刻情報よりも後の時刻である場合、各時刻情報を記憶された順序に基づいて修正後の時刻情報よりも前の時刻に修正する。ここで、上述の内容について図を用いて説明する。
【００６８】
図７は、実施例３における給油情報の一例を示す図である。なお、本発明の内容をより明確にするため、図７（ａ）には、従来の手法で修正された場合の例を示し、図７（ｂ）には、本発明の手法で修正された場合の例を示している。
【００６９】
ここで、図７では、上述した実施例１（図５）と同様に、番号「０００３」と「０００４」の間でシステム時刻の時刻修正を行っている。このとき、時刻修正されたシステム時刻が、記憶部に記憶された時刻情報のうち最新時刻である番号「０００３」の時刻よりも前の時刻である場合には、修正時刻をそのまま用いると、図７（ａ）の従来手法に示すように、番号「０００４」と「０００５」の履歴が番号「０００３」より前の時刻となり、燃料供給順序と供給時刻の順番が逆転してしまう。
【００７０】
そこで、実施例３では、図７（ｂ）に示すように、番号「０００４」の時刻「２００７／０１／０１  １１：５０：２２」を基準とし、番号「０００１」〜「０００３」の時刻を「０００４」時刻よりも前の時刻に変更して記憶部６３に再度記憶する。なお、時刻を変更する場合は、システム時刻により近い時刻となるように設定することが好ましい。これにより、誤差の最小限にすることができる。
【００７１】
ここで、上述の内容を具体的に説明すると、給油情報を記憶する際の修正されたシステム時刻「２００７／０１／０１  １１：５０：２２」と、現在までに記憶部に記憶されている番号「０００１」〜「０００３」までの給油履歴とを比較し、番号「０００３」の時刻「２００７／０１／０１  １２：０４：０８」を「２００７／０１／０１  １１：５０：２１」とし、番号「０００２」の時刻「２００７／０１／０１  １１：５７：２０」を「２００７／０１／０１  １１：５０：２０」に変更する。なお、番号「０００１」の時刻「２００７／０１／０１  １１：４５：１５」は、修正したシステム時刻よりも前の時刻であるため、そのままとする。これにより、燃料供給管理装置のシステム時刻の修正に伴う燃料供給順序と供給時刻の順番の逆転を防止することができる。
【００７２】
なお、上述の実施例３では、例えば、記憶部６３に複数の給油データと時刻情報と共に一時的に保持し、所定の時間毎やデータ量毎等の予め設定した記憶タイミングにより記憶させる際に、上述の番号「０００２」、「０００３」の時刻修正を行ってから給油情報として記憶部６３に記憶させてもよい。また、上述の各実施例は、組み合わせて用いることができる。
【００７３】
＜システム時刻修正後における管理情報の出力例＞
次に、上述の実施形態に基づく、システム時刻修正後における管理情報の出力例について説明する。なお、以下の説明では、給油情報を記憶部に記憶した後に、印刷処理を行う例を示しているが、本発明においてはこれに限定されず、記憶又は印刷のみをそれぞれ単独で行ってもよい。
【００７４】
図８は、システム時刻修正後のおける管理情報の第１の出力手順の一例を示すフローチャートである。図８において、まず、給油データの入力があったか否かを判断する（Ｓ０１）。ここで、給油データの入力がない場合（Ｓ０１において、ＮＯ）、給油データが入力されるまで待機状態となる。
【００７５】
また、Ｓ０１の処理において、給油データの入力があった場合（Ｓ０１において、ＹＥＳ）、次に、システム時刻から得られる給油終了時刻よりも前の給油終了時刻の給油情報が存在するか否かを判断する（Ｓ０２）。
【００７６】
ここで、Ｓ０２の処理において、該当する給油情報が存在しない場合（Ｓ０２において、ＮＯ）、給油データと給油終了時刻とを対応付けて、給油情報として記憶部６３に記憶する（Ｓ０３）。
【００７７】
また、Ｓ０２の処理において、該当する給油情報が存在する場合（Ｓ０２において、ＹＥＳ）、今回の給油データの給油終了時刻を記憶済みの給油終了時刻よりも後の給油終了時刻に変更し（Ｓ０４）、給油データと変更された給油終了時刻とを対応付けて、給油情報として記憶部６３に記憶する（Ｓ０５）。
【００７８】
また、Ｓ０３の処理が終了後、又はＳ０５の処理が終了後、給油情報を出力部６２によりレシートや伝票等の印刷媒体として出力する（Ｓ０６）。なお、Ｓ０６の処理にて出力される印刷媒体の具体例については後述する。
【００７９】
次に、システム時刻修正後のおける管理情報の第２の出力手順について説明する。図９は、システム時刻修正後のおける管理情報の第２の出力手順の一例を示すフローチャートである。なお、第２の出力手順では、給油情報を一時的に保持し、所定のタイミングで出力する例を示している。
【００８０】
図９において、まず、給油データの入力があったか否かを判断する（Ｓ１１）。ここで、給油データの入力がある場合（Ｓ１１において、ＹＥＳ）、給油データとシステム時刻から得られる給油終了時刻とを対応付けて、記憶部６３等に一時的に保持し（Ｓ１２）、次の給油データの入力を待つ（入力待機状態）。
【００８１】
また、Ｓ１１の処理において、給油データの入力がない場合（Ｓ１１において、ＮＯ）、次に記憶部６３への記憶タイミングか否かを判断する（Ｓ１３）。ここで、記憶タイミングでない場合（Ｓ１３において、ＮＯ）、Ｓ１１に戻り、給油データの入力待機状態となる。また、Ｓ１３の処理において、記憶タイミングである場合（Ｓ１３において、ＹＥＳ）、次に、記憶最小単位時刻が同一の給油データがあるか否かを判断する（Ｓ１４）。
【００８２】
ここで、記憶最小単位時刻が同一となる給油データがある場合（Ｓ１４において、ＹＥＳ）、同一となる複数の給油データを給油終了時刻順に記憶最小単位時刻をずらす（Ｓ１５）。
【００８３】
次に、Ｓ１５の処理が終了後、又は、Ｓ１４の処理において記憶最小単位時刻が同一となる給油データがない場合（Ｓ１４において、ＮＯ）、次に、システム時刻から得られる給油終了時刻よりも前の給油終了時刻の給油情報が存在するか否かを判断する（Ｓ１６）。
【００８４】
ここで、Ｓ１６の処理において、該当する給油情報が存在しない場合（Ｓ１６において、ＮＯ）、給油データと給油終了時刻とを対応付けて、給油情報として記憶部６３に記憶する（Ｓ１７）。
【００８５】
また、Ｓ１６の処理において、該当する給油情報が存在する場合（Ｓ１６において、ＹＥＳ）、今回の給油データの給油終了時刻を記憶済みの給油終了時刻よりも後の給油終了時刻に変更し（Ｓ１８）、給油データと変更された給油終了時刻とを対応付けて、給油情報として記憶部６３に記憶する（Ｓ１９）。
【００８６】
また、Ｓ１７の処理が終了後、又はＳ１９の処理が終了後、給油情報を出力部６３によりレシートや伝票等の印刷媒体として出力する（Ｓ２０）。なお、Ｓ２０の処理にて出力される印刷媒体の具体例については後述する。
【００８７】
＜給油伝票例＞
次に、給油伝票の一例について、図を用いて説明する。図１０は、給油伝票の一例を示す図である。図１０に示す給油伝票１１１は、レシート発行機１１０により発行されるものである。具体的には、氏名、伝票番号、日時、カード番号、油種、給油量等が表示される。なお、フォント、フォーマット、レイアウト等は、図１０に限らず任意に変更することができる。また、給油伝票１１１として、例えば、図５（ｂ）、図６（ｂ）、図７（ｂ）に示すようなフォーマットからなる履歴情報も連続して出力することができる。これにより、給油許可の他、日報、月報を出力（印字）することができる。なお、これらの情報は、液晶モニタ９０に表示させることもできる。
【００８８】
上述したように、本発明によれば、燃料供給管理装置のシステム時刻の修正に伴う燃料供給順序と供給時刻の順番の逆転を防止することができる。したがって、管理者等による伝票との照合作業や給油順序におけるチェックをミスなく容易に行うことができる。
【００８９】
なお、本発明は、例えば、運送、運輸業務や漁協等に設置され、給油する対象が会社内や組合内に限られるため、料金の精算という概念がなく、これらの会社においては、例えば、タンクローリー車から地下タンクへ燃料を受け入れた際にその燃料の料金を会社が清算することができる。また、本発明は、ＰＯＳシステムにも適用することができ、これにより、ＰＯＳ等が記録する給油履歴の時刻が前後するのを防止することができる。
【００９０】
また、燃料供給管理装置は、給油許可の他、日報や月報を出力（表示及び印字）することができる。
【産業上の利用可能性】
【００９１】
なお、上述した実施形態では、主にガソリンや軽油等の油液を給油する給油システムを例に挙げて説明したが、本発明においてはこれに限定されず、例えば、これ以外の燃料（例えば、ＣＮＧ，ＬＮＧ，ＬＰＧ、水素等）を供給する燃料供給システムにも本発明を適用することができる。
また、上述した実施形態では、燃料供給管理装置と給油装置とが別体に設けられた構成を例示したが、これに限らず、給油装置の筐体に燃料供給管理装置が収納された一体構造とされたものにも本発明が適用することができる。
【００９２】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【００９３】
【図１】本発明による燃料供給管理装置の一実施例が用いられた燃料供給システムを示す斜視図である。
【図２】燃料供給管理装置６０を拡大して示す正面図である。
【図３】燃料供給管理装置の機能構成の一例を示す図である。
【図４】本実施形態における時刻設定画面の一例を示す図である。
【図５】実施例１における記憶部に記憶される給油情報の一例を示す図である。
【図６】時刻範囲を指定して抽出された給油履歴の一例を示す図である。
【図７】実施例３における給油情報の一例を示す図である。
【図８】システム時刻修正後のおける管理情報の第１の出力手順の一例を示すフローチャートである。
【図９】システム時刻修正後のおける管理情報の第２の出力手順の一例を示すフローチャートである。
【図１０】給油伝票の一例を示す図である。
【符号の説明】
【００９４】
１０  燃料供給システム
２０  トラック
３０  地下タンク
５０  給油装置
５２  給油ノズル
５４  給油ホース
６０  燃料供給管理装置
６１  入力部
６２  出力部
６３  記憶部
６４  時刻管理部
６５  時刻生成部
６６  通信インタフェース部
６７  制御部
７０  筐体
７１  前面
８０  制御装置
９０  液晶モニタ
９１  日時表示領域
９２  位置変更領域
９３  テンキー
９４  決定ボタン
９５  取消ボタン
１００  カードリーダ
１０１  スリット
１１０  レシート発行機
１１１  給油伝票
１２０  スピーカ
【図１】
2008310665.tif 000003
【図２】
2008310665.tif 000004
【図３】
2008310665.tif 000005
【図４】
2008310665.tif 000006
【図５】
2008310665.tif 000007
【図６】
2008310665.tif 000008
【図７】
2008310665.tif 000009
【図８】
2008310665.tif 000010
【図９】
2008310665.tif 000011
【図１０】
2008310665.tif 000012